(57)【要約】【課題】糸の先端部を接着剤で固めて針穴を通り易くする方法に関連して、糸の表面にむらなく迅速に接着剤を塗布できるように工夫された接着剤容器を提供する。【解決手段】接着剤を内部に収容する容器本体２から筒状に突出し接着剤を吐出する筒状凸部３の先端開口部３２に、２箇所の切り欠き３３Ａ，３３Ｂを形成する。切り欠き３３Ａ，３３Ｂの形状はＶ字形が好ましい。また、この切り欠きは、筒状凸部に着脱自在に装着する筒状のアタッチメントに形成してもよい。【選択図】図２
0003202319.tif 000002
【実用新案登録請求の範囲】
【請求項１】
接着剤を内部に収容する容器本体と、該容器本体から筒状に突出し接着剤を吐出する筒状凸部を有し、
前記筒状凸部の先端開口部に、線状の被接着物を掛け渡すための２箇所の切り欠きを形成したことを特徴とする接着剤容器。
【請求項２】
前記筒状凸部に筒状のアタッチメントを装着し、
前記切り欠きは該アタッチメントの先端開口部に形成したことを特徴とする請求項１に記載の接着剤容器。
【請求項３】
前記切り欠きはＶ字形状であることを特徴とする請求項１または２のいずれかに記載の接着剤容器。
【考案の詳細な説明】
【技術分野】
【０００１】
糸の先端部を接着剤で固めて針穴を通り易くする方法に関連して、糸の表面にむらなく迅速に接着剤を塗布できるように工夫された接着剤容器に関する。
【背景技術】
【０００２】
糸を縫い針に通すことは老眼、遠視、不器用な人だけではなく、針仕事に慣れていない人にとっても存外難しい。針穴になかなか通すことができず、何度も試みているうちに糸の先端部がほつれてくる。ほつれた部分をはさみで切って再度試みてもうまくいかず、再び先端部がほつれてくる、といった経験は多くの人がもっている。これは、糸を針穴に通そうとすると、元々不定形な糸はその前に容易に変形してしまうからである。これを解決するためには、糸の先端部を瞬間接着剤で固めるのもひとつの手段である。その際、糸の先端部が先細に尖っている状態で固まってくれればよいのだが、糸の先端部に塗布した接着剤がダマになったりした状態で固まると、全く逆効果になってしまう。
【０００３】
そのため、むらなく迅速に接着剤を塗布できるようにする接着剤注出用の容器のアイデア、という観点から先行技術を調査した。
上記の問題意識に関連があるアイデアとして、特許文献１に「接着剤の吐出ノズル」が開示されていた。この「接着剤の吐出ノズル」は、板材などの狭い端面或は、木材或は板材等の狭い被接着面へ接着剤の塗布を行う場合、接着剤が狭い被接着面からはみ出ないようにしつつ迅速で確実に塗布できるようにするものである。
【先行技術文献】
【特許文献】
【０００４】
【特許文献１】特開平１１−３３４７４９号公報
【考案の概要】
【考案が解決しようとする課題】
【０００５】
特許文献１に記載の発明は、形状の定まった板材などに塗布するには適しているが、糸のように細く、不定形な物に接着剤を塗布するには適さない。
接着剤を塗布しようとする部分を直線状にして、迅速に糸の表面をなぞるようにしつつ塗布できなくてはならない。特許文献１に記載の「吐出ノズル」はＵ字形なので、ノズルを動かして行くうちに糸も動いて接着剤が固まった後の形状が意図したとおりの直線状にならないことがある。
そこで、本考案は、糸の先端部を直線状に保った状態で、迅速に接着剤を塗布できるようにすることを目的とする。
【課題を解決するための手段】
【０００６】
上記の目的を達成するために、本考案の接着剤容器は、
接着剤を内部に収容する容器本体と、容器本体から筒状に突出し接着剤を吐出する筒状凸部を有し、筒状凸部の先端開口部に、線状の被接着物（例：糸）を掛け渡すための２箇所の切り欠きを形成したことを特徴とする。
これにより、糸などの線状の物品を２箇所の切り欠きに掛け渡して接着剤を塗布することができるので、目的の箇所を直線状に保った状態で塗布し固めることができる。
【０００７】
前記筒状凸部に筒状のアタッチメントを装着し、前記切り欠きは該アタッチメントの先端開口部に形成してもよい。
これにより、切り欠きが形成されたアタッチメントを別売りできるので、既存の接着剤容器に変更を加えなくてもよい。ネジの規格は定まっているので、この規格に合うようなアタッチメントであれば既存の容器の吐出口に取り付けることができる。
【０００８】
前記切り欠きはＶ字形状であることが好ましい。
２箇所のＶ字状の切り欠きに縫い糸をかけると、縫い糸はそれぞれの切り欠きにおいて１点で支えられるので、接着剤容器を真っ直ぐに動かしながら接着剤を搾り出すならば、接着剤を塗布して硬化させた部分は直線状になって針穴に通りやすい。
【考案の効果】
【０００９】
本考案の接着剤容器を使えば、迅速かつ簡単に縫い糸の先端に接着剤をむらなく塗布でき、先端部が接着剤によって直線状に硬化した糸であれば、老眼の人でも針穴へ簡単に通すことができる。
【図面の簡単な説明】
【００１０】
【図１】実施の形態の接着剤容器の正面図である。
【図２】実施の形態の接着剤容器筒状凸部の斜視図である。
【図３】実施の形態の筒状凸部に形成した２箇所の切り欠きに糸を掛け渡した状態を説明する図である。
【図４】実施の形態の糸に接着剤を塗布する状態を説明する図である。
【図５】実施の形態の接着剤で固めた糸先端部を縫い針の穴に通す状態を説明する図である。
【図６】その他の実施の形態の筒状凸部に装着する筒状アタッチメントの（１）断面図、（２）斜視図である。
【考案を実施するための形態】
【００１１】
以下、図面を参照しながら本考案の実施の形態の接着剤容器１について説明する。
【００１２】
図１及び図２に示すように、接着剤容器１は、容器本体２と筒状凸部３とキャップ（図示せず）を有している。容器本体２は、可撓性の材質で形成されており、指等で押圧したときに内部に充填した接着剤４が筒状凸部３の先端開口部から注出される。  なお、接着剤４には、本考案の目的から被接着物に塗布されると瞬間的に硬化する接着性物質を使用する。
【００１３】
筒状凸部３は、容器本体２の上部に筒状に突設して形成され、この筒状凸部３の外周側にはおねじ３１が形成されている。このおねじ３１は、キャップ（図示せず）の内側に形成しためねじに差し込まれることによりキャップが装着される。筒状凸部３の円周状の開口端部３２には、対向する２箇所に切り欠き３３（３３Ａ、３３Ｂ）が形成されている。切り欠き３３の断面はＶ字形である。
【００１４】
図３および図４を参照しながら、接着剤容器１の使用方法を説明する。  縫い糸５の先端部を、筒状凸部３の切り欠き３３Ａと３３Ｂに掛け渡す。このとき、縫い糸５が弛まないように注意する。２つの切り欠き３３の間で張り詰めた縫い糸５は、Ｖ字状切り欠き３３の底部において安定した状態で維持できる。  縫い糸５の先端部に接着剤を塗布する際は、筒状凸部３の切り欠き３３Ａと３３Ｂを縫い糸５に引っ掛ける。切り欠き３３Ａと３３Ｂが縫い糸５から外れないように注意して、容器本体２から接着剤４を搾り出しながら接着剤容器１を矢印Ｒの方向に動かす。これにより、余分な接着剤４は進行方向後尾の切り欠き３３Ａによってそぎ落とされながら、接着剤４は縫い糸５の表面に薄く塗布され、塗布された箇所は瞬間的に硬化する。糸５の先端側の部分は塗り残しにより固まっていないことが多いので、この部分はハサミで切り取ればよい。  図５に示すように、接着剤４によって硬化した縫い糸５の先端部（図中、１点鎖線で囲んだ部分）は、縫い針６の針穴６１に簡単に通すことができる。
【００１５】
本考案で重要なのは、切り欠きが２箇所あるという点である。切り欠きはＶ字状なので、切り欠き底部は点も同然である。２つの切り欠き間に糸（２次元の物体）を渡すと、糸は２個の点で支持されることになり、糸を直線状に保つことは容易である。仮に、開口先端部の径が小さいノズルを用いるならば、ごく少量を糸の表面に注出することができるとしても、１個の点も同然のノズルを押し付けて塗布していくのでは、糸を直線状に保つことは難しい。また、ノズルで注出するのでは、均一に薄く塗布することは難しい。その点、本考案では、切り欠きが糸上を移動しつつ余分な接着剤をそぎ落としていくので、均一に薄く糸表面に塗布することができる。
【００１６】
次に、他の実施の形態について図６を参照しながら説明する。先の実施の形態では、容器本体２から突設して形成されている筒状凸部３に切り欠き３３を形成していた。つまり、既存の接着剤容器を加工しなくてはならなかった。  本実施の形態は、着脱自在なアタッチメントを用いることによって、既存の接着剤容器７をそのまま使えるようにするものである。容器本体７１から筒状に突設している筒状凸部７２の外周側に形成したおねじ７２ａを、筒状のアタッチメント８の内周側に形成しためねじ８ａに差し込むだけで、アタッチメント８を既存の接着剤容器７に装着できる。
【００１７】
アタッチメント８の円周状の開口端部８１の対向する２箇所に切り欠き８２（８ｓＡ，８２Ｂ）を形成する。縫い糸５の先端部に接着剤４を塗布するには、既存の接着剤容器７にアタッチメント８を装着し、２箇所の切り欠き８２間に縫い糸５が弛まないように引っ掛け、接着剤４を注出しながらアタッチメント８付きの接着剤容器７を直線状に移動させればよい。使用が終わったなら、アタッチメント８を取り外し、筒状凸部７２にはキャップ（図示せず）を被せておく。
【００１８】
上記の実施の形態では、本考案を針穴に通しやすくするために縫い糸を硬化するのに用いている。しかし、本考案の接着剤容器は、縫い糸以外の線状の物品に対しても接着剤をむらなく塗布することができるので、手芸や模型制作をはじめとする各種用途に利用できる。たとえば、マフラーを編み終わり、端部をほつれないように同じ毛糸でかがることがあるが、このとき毛糸の先端部を本考案を利用して硬化させれば縫い針のかわりになる。
【産業上の利用可能性】
【００１９】
高齢者が急増する昨今、簡単な作業、例えばボタン付けのような繕いは自分でしなければならないし、また自分でした方が老化防止になる。かかる観点から本考案の接着剤容器は、高齢者にとって手元にあれば便利なグッズとして需要が期待できる。もちろん、一般利用者にとっても十分便利なグッズである。
【符号の説明】
【００２０】
１、７：接着剤容器
２、７１：容器本体
３、７２：筒状凸部
３３（３３Ａ，３３ｂ）：切り欠き
８：アタッチメント
８２（８２Ａ，８２ｂ）：切り欠き
【図１】
0003202319.tif 000003
【図２】
0003202319.tif 000004
【図３】
0003202319.tif 000005
【図４】
0003202319.tif 000006
【図５】
0003202319.tif 000007
【図６】
0003202319.tif 000008